(57)【要約】【目的】簡単かつコンパクトな構成によって、雨水滞水池２の幅方向両側部の領域に堆積している異物を有効に洗浄することができる雨水滞水池の洗浄装置を提供する。【構成】貯水池１と雨水滞水池２とを仕切る仕切壁１２には、雨水滞水池２の幅員Ｗ１に相当する開口幅Ｗ２を有してフラッシュ用の開口４が設けられ、このフラッシュ用の開口４はフラップ弁１３によって開閉され、フラップ弁１３はフラップ弁開閉手段１４によって開閉駆動される。フラップ弁開閉手段１４は、貯水池１に設置された油圧シリンダ１４Ａと、油圧ポンプ１４Ｂと、油圧配管１４Ｅに介装した切換弁１４Ｆと、第１，第２の水位検知器１４Ｇ，１４Ｈと、これらの水位検知信号が入力される制御器１４Ｉとを備えている。【選択図】　　　　図１
2004116181.tif 000002
【特許請求の範囲】
【請求項１】
貯水池と雨水滞水池とを仕切る仕切壁に前記雨水滞水池の幅員に相当する開口幅を有して設けたフラッシュ用の開口と、このフラッシュ用の開口の開閉を可能に設けたフラップ弁と、このフラップ弁を開閉させるフラップ弁開閉手段とを備えていることを特徴とする雨水滞水池の洗浄装置。
【発明の詳細な説明】
【０００１】
【産業上の利用分野】
本発明は、たとえば下水処理場における雨水滞水池の底部に堆積した異物を洗浄する雨水滞水池の洗浄装置に関する。
【０００２】
【従来の技術】
従来、たとえば下水処理場における雨水滞水池の底部に堆積した異物を洗浄する雨水滞水池の洗浄装置として、図４および図５に示すものがある。この雨水滞水池の洗浄装置は、たとえば汚水処理場の貯水池１と雨水滞水池２の間に介装されて、雨水滞水池２の底部に堆積した異物を洗浄するために使用するフラッシュゲ−ト３によってなり、このフラッシュゲ−ト３は、フラッシュ用の開口（水門）４に対応して弁棒５の下端に取付けられおり、ガイド６を案内に昇降できるように構成されている。弁棒５はベ−ス７およびベ−ス７上に立設されたスタンド８を貫通して、スタンド８の上部に配置されている開閉台９に挿入され、開閉台９の内部で弁棒５の雄ねじ部５ａを雌ねじこま１０に螺合させている。したがって、たとえば操作ハンドル１１の正逆回転によってゲ−ト３は昇降してフラッシュ用の開口４を開閉するように構成されている（たとえば、特許文献１、図８，図９参照。）。
【０００３】
この雨水滞水池の洗浄装置では、雨水滞水池２が排水された状態で、操作ハンドル１１をフラッシュゲ−ト３の開方向に回転させ、フラッシュ用の開口４を少し開いて、貯水池１側から雨水滞水池２に水を勢いよく噴出させることで、水勢により雨水滞水池２の底部に堆積した異物の洗浄がなされる。
【０００４】
また、雨水滞水池の洗浄装置として、図６および図７に示すものがある。この雨水滞水池の洗浄装置は、フラッシュゲ−ト３の底部下面３Ａに、水を投影平面で扇状に広げて流下させる複数条の案内溝を設けた構造のものである（たとえば、特許文献１、図１，図２参照。）。
【０００５】
この雨水滞水池の洗浄装置では、雨水滞水池２が排水された状態で、操作ハンドル１１をフラッシュゲ−ト３の開方向に回転させ、フラッシュ用の開口４を少し開くことにより、案内溝の案内作用により、投影平面で扇状に広がって流下し、図７の矢印群Ｂで示すように、扇状に拡散して雨水滞水池２に噴出することになり噴出領域が拡大される。したがって、雨水滞水池２の幅方向両側部の領域にまで水勢がおよび、図４および図５の雨水滞水池の洗浄装置では洗浄不能であ幅方向両側部の領域に堆積している異物を洗浄することができる。
【０００６】
【特許文献１】
特開平５−３４６０１６号公報
【０００７】
【発明が解決しようとする課題】
ところが、前記従来の雨水滞水池の洗浄装置では、フラッシュ用の開口（水門）４の開口幅Ｗが雨水滞水池２の幅員Ｗ１よりも小さいので、雨水滞水池２の幅方向両側部の領域に堆積している異物を有効に洗浄することが期待できない。また、フラッシュ用の開口４がフラッシュゲ−ト３の昇降によって開閉されるように構成されているので、構造が大掛かりかつ複雑である。
【０００８】
本発明は、このような実情に鑑みてなされたもので、簡単かつコンパクトな構成によって、雨水滞水池２の幅方向両側部の領域に堆積している異物を有効に洗浄することができる雨水滞水池の洗浄装置を提供することを目的としている。
【０００９】
【課題を解決するための手段】
前記目的を達成するために、本発明に係る雨水滞水池の洗浄装置は、貯水池と雨水滞水池とを仕切る仕切壁に前記雨水滞水池の幅員に相当する開口幅を有して設けたフラッシュ用の開口と、このフラッシュ用の開口の開閉を可能に設けたフラップ弁と、このフラップ弁を開閉させるフラップ弁開閉手段とを備えていることを特徴としている。
【００１０】
本発明によれば、雨水滞水池が排水された状態で、フラップ弁開閉手段によりフラップ弁を弁開して、フラッシュ用の開口を少し開くことにより、貯水池の水が雨水滞水池の全幅で均等に勢いよく噴出し、その水勢により雨水滞水池の底部に堆積した異物を押し流して洗浄することができる。
【００１１】
【発明の実施の形態】
以下、本発明の一実施の形態を図面に基づいて説明する。図１は、本発明の一実施例を示す平面図、図２は図１の縦断側面図であり、従来例と同一もしくは相当部分には同一符号を付して説明する。図１，図２において、たとえば汚水処理場の貯水池１と雨水滞水池２とを仕切る仕切壁１２には、雨水滞水池２の幅員Ｗ１に相当する開口幅Ｗ２を有してフラッシュ用の開口４が設けられ、このフラッシュ用の開口４は、該フラッシュ用の開口４に対応して仕切壁１２における雨水滞水池２側の面に設けられているフラップ弁１３によって開閉されるようになっており、フラップ弁１３はフラップ弁開閉手段１４によって開閉駆動される。
【００１２】
フラップ弁開閉手段１４は、先端部をフラップ弁１３に連結したピストンロッド１４ａを有して貯水池１に設置された油圧シリンダ１４Ａと、油圧ポンプ１４Ｂと、油圧ポンプ１４Ｂの吐出側に連通する圧油槽１４Ｃと、油圧ポンプ１４Ｂの吸込側に連通する返油槽１４Ｄと、油圧シリンダ１４Ａと圧油槽１４Ｃおよび返油槽１４Ｄとを連通させる油圧配管１４Ｅと、この油圧配管１４Ｅに介装した切換弁１４Ｆと、水位検知フロートによってなり雨水滞水池２の水位を検知する第１の水位検知器１４Ｇと、水位検知フロートによってなり貯水池１の水位を検知する第２の水位検知器１４Ｈと、第１の水位検知器１４Ｇによって検知した第１の水位検知信号、つまり雨水滞水池２内の水が排水された状態を検知した第１の水位検知信号と、第２の水位検知器１４Ｈによって検知した第２の水位検知信号、つまり貯水池１の水位がフラッシュ用の開口４よりも少し上位のレベルまで低下した状態を検知した第２の水位検知信号が入力される制御器１４Ｉとを備え、制御器１４Ｉは、入力された前記第１および第２の水位検知信号に基づいて切換弁１４Ｆに切換信号を出力して切換えるようになっている。なお、図中１５は流出管で雨水滞水池２に設けられており、この流出管１５に流出弁１６が介設されている。
【００１３】
前記構成において、降雨が貯水池１に流入して満水になったならば、貯水池１と雨水滞水池２とを仕切る仕切壁１２をオーバーフローして、雨水は雨水滞水池２に流入する。降雨後は、流出弁１６を弁開して流出管１５より雨水滞水池２の水を排出する。この場合、フラップ弁開閉手段１４における油圧シリンダ１４Ａのピストンロッド１４ａは図２のように後退して、フラップ弁１３によってフラッシュ用の開口４を閉じている。
【００１４】
雨水滞水池２の水が排水された状態は、第１の水位検知器１４Ｇによって検知され、第１の水位検知信号が制御器１４Ｉに入力される。制御器１４Ｉは、入力された第１の水位検知信号に基づいて切換弁１４Ｆに切換信号を出力して、切換弁１４Ｆを図３の位置に切換える。これにより、油圧シリンダ１４Ａの前室内の圧油は切換弁１４Ｆを通って返油槽１４Ｄに返油されるとともに、圧油槽１４Ｃの圧油は切換弁１４Ｆを通って油圧シリンダ１４Ａの後室に圧送され、ピストンロッド１４ａを前進させ、フラップ弁１３を弁開してフラッシュ用の開口４を少し開く。その結果、貯水池１の水がフラッシュ用の開口４から雨水滞水池２の全幅Ｗ１で均等に勢いよく噴出し、その水勢により雨水滞水池２の底部に堆積している異物を押し流して洗浄することができる。
【００１５】
貯水池１の水がフラッシュ用の開口４から雨水滞水池２の全幅Ｗ１で均等に勢いよく噴出することで、貯水池１の水位がたとえば、フラッシュ用の開口４よりも少し上位のレベルまで低下すると、この状態は第２の水位検知器１４Ｈによって検知され、第２の水位検知信号が制御器１４Ｉに入力される。制御器１４Ｉは、入力された第２の水位検知信号に基づいて切換弁１４Ｆに切換信号を出力して、切換弁１４Ｆを図２の位置に切換える。これにより、油圧シリンダ１４Ａの後室内の圧油は切換弁１４Ｆを通って返油槽１４Ｄに返油されるとともに、圧油槽１４Ｃの圧油は切換弁１４Ｆを通って油圧シリンダ１４Ａの前室に圧送され、ピストンロッド１４ａを後退させ、フラップ弁１３を弁閉しフラッシュ用の開口４を閉じてつぎの動作に備える。
【００１６】
【発明の効果】
以上説明したように、本発明に係る雨水滞水池の洗浄装置は構成されているので、以下のような格別の効果を奏する。
【００１７】
すなわち、簡単かつコンパクトな構成によって、貯水池の水をフラッシュ用の開口から雨水滞水池の全幅で均等に勢いよく噴出させ、その水勢により雨水滞水池の底部に堆積している異物を押し流して洗浄することができるので、従来、洗浄不能であった領域に堆積している異物を残存することなく有効に洗浄することができる。
【図面の簡単な説明】
【図１】本発明の一実施の形態を示す平面図である。
【図２】図１の縦断側面図でフラップ弁の弁閉状態を示している。
【図３】図１の縦断側面図でフラップ弁の弁開状態を示している。
【図４】第１従来例の縦断側面である。
【図５】図４のエ−エ線断面図である。
【図６】第２従来例の縦断側面である。
【図７】図６のア−ア線断面図である。
【符号の説明】
１　貯水池
２　雨水滞水池
４　フラッシュ用の開口
１２　仕切壁
１３　フラップ弁
１４　フラップ弁開閉手段
Ｗ１　雨水滞水池の幅員
Ｗ２　フラッシュ用の開口の開口幅
【図１】
2004116181.tif 000003
【図２】
2004116181.tif 000004
【図３】
2004116181.tif 000005
【図４】
2004116181.tif 000006
【図５】
2004116181.tif 000007
【図６】
2004116181.tif 000008
【図７】
2004116181.tif 000009